(57)【要約】      （修正有）【課題】従来の技術では、通常の楽器で演奏ができるような音階で表現の可能な曲でのみ、メロディーロードを作ることができ、音階の決定は基音の周波数に対して約０．９３４の係数を乗除することにより上下半音階の音を決定する事が出来る。しかし、人間の声や、動物の鳴き声、民族音楽など従来の音楽技術における５線符への音符化表現のできない曲や、音の高さが自由に変化する様な地域特有の曲やなどはメロディーロードや音楽を奏でる道路への利用、応用は至極困難とされていた。【解決手段】メロディーロードに使用する音の周波数の変化を基礎単位周波数発生溝間隔ごとに随時変換することにより人間の声や、動物の鳴き声、音楽における規則的、階段的音階の変化だけでは表現することのできない周波数の自然な変化による音の高さや音量、音色などを自由に変化することにより表現されている音もメロディーロードに使用できる。【選択図】図３
2012112232.tif 000002
【特許請求の範囲】
【請求項１】
人間の声や動物の鳴き声など自然界にある音の周波数の時間的変化、音の強さの時間的変化、音の音色の時間的変化を単位周波数に係る基礎単位ごとに各々適宜に数値化し基礎単位毎に保有する音質の集合特性をこれらに係わる動作に記録するために連続的数値変換を微細に行い、自然界に於いての発生音の変位値を自然変化音質基礎単位ごとに数値化して表記、刻印する事を特徴とする自然変化音の音質数値化表現プログラムである。
【請求項２】
音の周波数値が階段状に音階として規定されていることにより表現するに困難な，音の高さの自然で自由な変化によって曲を成す楽曲を、メロディーロードとして施工するための音質数値化表現プログラムであって、自然な音質の変化によって表現される楽曲の音質特性を単位周波数に係る基礎単位毎に適宜に音質数値化表現された音を車両走行舗装路面に刻印し、メロディーロードへの自然変化周波数によって表現されている楽曲の利用を特徴とする自然音の音質数値化表現プログラムである。
【発明の詳細な説明】
【技術分野】
【０００１】  本発明は人間の声や動物の鳴き声など自然界にある音の周波数の時間的変化、音の強さ、音の音色の時間的変化を単位周波数に係る基礎単位ごとに各々適宜に数値化し基礎単位毎に保有する音質の集合特性をこれらに係わる動作に記録、刻印するために連続的数値変換を微細に行い、自然界に於いての発生音の変位値を自然変化音質基礎単位ごとに数値化して表記、刻印する事を特徴とする自然変化音の音質数値化表現プログラムに関するものである。
【背景技術】
【０００２】
【特許文献１】  特開平２−８４０１号広報  道路路面に切削された溝により所望の音階を発生し音楽を奏でられるとされている技術である。
【特許文献２】  特開平８−２４６４０６号広報  道路路面に設置された突起により振動、又は振動音を発生させる技術であるとしている。
【特許文献３】  ＰＴＣ／ＪＰ２００５／０１７１９２号  道路路面に切削された溝により音階の定まった音楽を奏でるとし上記技術を実行するのに、所定の音階、音符から音楽を奏でる道路を施工する技術である。
【特許文献４】  登録実用３１０９３４５  音楽での音階を定める規則性を、路面に溝を切削する刃と刃の間隔を決定する条件として切削溝を複数本同時に施工する多盤式切削ドラムの技術である。
【特許文献５】  登録実用３１１３３８２  路面に直線の溝を切削するために切削機に直線ガイドレールを取り付けた施工機械技術である。
【特許文献６】  出願番号ＰＡＴ−１８０７７０２  音響道路を施工するために機械の溝切削作業動作に制御装置を取りつけた溝切削施工機械技術である。
【発明の開示】
【発明が解決しようとする課題】
【０００３】  上記に記載した従来の技術では、通常の音階を表現する楽器で演奏ができるような音階、例えばド、レ、ミ、ファで表現の可能な曲でのみ溝によって音の出る道路を作ることができた。【０００４】  また、音楽の技術による音階の決定は規則性があり基音の周波数に対して約０．９３４の係数を乗除することにより順次上下半音階の音を決定する事が出来るとしている。【０００５】  以上に述べた従来の技術では所定の音階が決められた、また決めることのできる曲を溝によって音の出る道路への設計施工を行うことは可能であった。【０００６】  しかしながら、これらの技術では民族音楽など従来の音楽技術における５線符への音符化のできない音の高さの自由な変化を利用する曲などは溝によって音を発生させる道路への利用、応用は至極困難であった。【０００７】  本発明は、前述した問題を解決するものであり、従来の技術では利用のできなかった人間の声や動物の鳴き声等、自然界で発せられるや、音の周波数が自由自在に変化する様な地域特有の曲や、歌い手の特徴、特殊な楽器の風情を表現し、楽曲の多様性などを自由な音の変化を溝によって音を発生させる道路への地域の多様な要望、期待に答えることを目的とするものです。
【課題を解決するための手段】
【０００８】  本発明は、上記目的を達成するために曲を構成している音の周波数の自由な変化を基礎単位周波数発生溝間隔毎に随時変換することにより，音楽における段階的音階の変化だけでは表現することのできない、人間の声や動物の鳴き声などや、音の高さが無段階に自由自在に変化することにより表現されている楽曲をも溝により音の出る道路に使用し表現することが出来る。
【発明の効果】
【０００９】  前述したように本発明の自然変化音の音質数値化表現プログラムは人間の声や、動物の鳴き声の表現や、音楽での五線譜での楽譜のない音の高さが自由な周波数の変化によって表現されている楽曲も、溝によって音の出る道路に使用できるようになるため、各地域、国などにある上述のような規則的な階段状音階を持たない音の高さの自由な変化によって構成されている特殊な楽曲をも、地域観光資源の創出や、交通安全啓蒙技術として利用出来ることを提供できる。【００１０】  音の高さ、音量の強ささが連続的且つ自然に変化するので同一な楽曲に於いても多彩な表聞き心地の良い曲に仕上げることができる。
現や音の高さの微細な高低の変化、音量の微妙な強弱の変化を表現し利用することで擬声音を作り出すことが可能となる。
【発明を実施するための最良の形態】
【００１１】  以下、本発明の実施の形態を図１から図１９に基づいて説明する。【００１２】  メロディーロード施工設計条件を決定する。【００１３】  以下、設計条件の凡例を説明する。
2012112232.tif 000003
【００１４】  以下、設計手順を説明する
１、当該メロディーロードに使用する曲目を選定する。
２、選定された該曲の演奏、又は歌唱を録音記録する。
３、記録された音から所望の音を抽出し主旋律を特定する。
４、特定された主旋律を周波数と時間のグラフ図１にする。
５、主旋律グラフに対応した音量と時間のグラフ図２にする。【００１５】  以下、設計図書の作成手順を説明する。【００１６】
2012112232.tif 000004
上記計算によりＮＯ，１の基礎単位周波数発生溝間隔（Ｗ１）が決定される。【００１７】  上記ＮＯ，１の計算結果を図３に示す。
よって、ＮＯ，２の周波数（Ｈ）の判読数値はＨ２となり音量（Ｖ）の判読数値はＶ２となる。したがって路面への溝の施工は図５となりＮＯ２，の施工起点はａ１となる。【００１７】
2012112232.tif 000005
上記計算によりＮＯ，２の基礎単位周波数発生溝間隔（Ｗ２）、溝幅（Ｖ２）が決定される。【００１８】  上記ＮＯ，２の計算結果を図６に示す。
よって、ＮＯ，３の周波数（Ｈ）の判読数値はＨ３となり音量（Ｖ）の判読数値はＶ３となりしたがって路面への溝の施工は図８でありＮＯ３，の施工起点はａ２となる。【００１９】
2012112232.tif 000006
上記計算によりＮＯ，３の基礎単位周波数発生溝間隔（Ｗ３）、溝幅（Ｖ３）が決定される。【００２０】  上記ＮＯ，３の計算結果を図９に示す。
よって、ＮＯ，４の周波数（Ｈ）の判読数値はＨ４となり音量（Ｖ）の判読数値はＶ４となる。下って路面への溝の施工は図１１となりＮＯ４，の施工起点はａ３となる。【００２１】
2012112232.tif 000007
上記計算からＮＯ，ｎ−１の１基礎単位周波数発生溝間隔（Ｗｎ−１）、溝幅（Ｖｎ−１）が決定される。【００２２】  上記ＮＯ，ｎ−１の計算結果を図１２に示す。
よって、ＮＯ，ｎ−１の周波数（Ｈ）の判読数値はＨｎ−１となり音量（Ｖ）の判読数値はＶｎ−１となる。
したがって路面への溝の施工は図１４となりＮｏ，ｎの施工起点はａｎ−１となる。【００２３】
2012112232.tif 000008
上記計算によりＮＯ，ｎの基礎単位周波数発生溝間隔（Ｗｎ）、溝幅（Ｖｎ）が決定される。【００２４】  上記ＮＯ，ｎ計算結果を表１に示す。
【表１】
2012112232.tif 000009
【実施例】
【００２５】  実施例を表２に示す
【表２】
2012112232.tif 000010
【産業上の利用可能性】
【００２６】  本発明の自然変化音の音質数値化表現プログラムは人間の声や、動物の鳴き声等やさらに音楽での楽譜のない自由な周波数の変化によって表現されている楽曲もメロディーロードに使用できるようになるため各地域、国などにある前述のような規則的な音階を持たない特殊な曲をも観光資源化出来、さらに人間の声や動物の鳴き声などにより交通安全の啓蒙に寄与できることを提供できる。
また基礎単位周波数発生溝間隔の設置時に適宜な音量発生要素を取り入れることによりさらに個性のある音の発生表現が可能となる。
【図面の簡単な説明】
【００２７】
【図１】  利用する曲の主旋律周波数をグラフ化したものである。
【図２】  利用する曲の音量を周波数グラフと時間を対応させてグラフ化した図である。
【図３】  利用する曲の最初の音の高さの基礎単位周波数を図１に表記した図である。
【図４】  利用する曲の最初の音量を図３に対応させて表記した図である。
【図５】  利用する曲の最初の周波数の基礎単位周波数を路面に刻印する時の溝間隔をそれに対応する音量の溝幅とともに表記した図である。
【図６】  利用する曲の２番目の音の高さの基礎単位周波数を図３に表記した図である。
【図７】  利用する曲の２番目の音量を図６に対応させて表記した図である。
【図８】  利用する曲の２番目の周波数の基礎単位周波数を路面に刻印する時の溝間隔をそれに対応する音量の溝幅とともに表記した図である。
【図９】  利用する曲の３番目の音の高さの基礎単位周波数を図６に表記した図である。
【図１０】  利用する曲の３番目の音量を図６に対応させて表記した図である。
【図１１】    利用する曲の３番目の周波数の基礎単位周波数を路面に刻印する時の溝間隔をそれに対応する音量の溝幅とともに表記した図である。
【図１２】  利用する曲のｎ−１番目の音の高さの基礎単位周波数を図９に表記した図である。
【図１３】  利用する曲のｎ−１番目の音量を図１２に対応させて表記した図である。
【図１４】  利用する曲のｎ−１番目の周波数の基礎単位周波数を路面に刻印する時の溝間隔をそれに対応する音量の溝幅とともに表記した図である。
【図１５】  利用する曲のｎ番目の音の高さの基礎単位周波数を図１２に表記した図である。
【図１６】  利用する曲のｎ番目の音量を図１５に対応させて表記した図である。
【図１７】  利用する曲のｎ番目の周波数の基礎単位周波数を路面に刻印する時の溝間隔をそれに対応する音量の溝幅とともに表記した図である。
【図１８】  本発明の実施例である。
【図１９】  本発明の設計プログラムの実施形態フローチャートである。
【符号の説明】
【００２８】（１）  主旋律曲線
（２）  主旋律音量曲線
（３）  基礎単位周波数所要時間
（４）  基礎単位周波数
（５）  音量
（６）  溝幅
（７）  路面に刻印される溝
（８）  基礎単位周波数溝間隔
（９）  基礎単位周波数溝間隔の起終点
【図１】
2012112232.tif 000011
【図２】
2012112232.tif 000012
【図３】
2012112232.tif 000013
【図４】
2012112232.tif 000014
【図５】
2012112232.tif 000015
【図６】
2012112232.tif 000016
【図７】
2012112232.tif 000017
【図８】
2012112232.tif 000018
【図９】
2012112232.tif 000019
【図１０】
2012112232.tif 000020
【図１１】
2012112232.tif 000021
【図１２】
2012112232.tif 000022
【図１３】
2012112232.tif 000023
【図１４】
2012112232.tif 000024
【図１５】
2012112232.tif 000025
【図１６】
2012112232.tif 000026
【図１７】
2012112232.tif 000027
【図１８】
2012112232.tif 000028
【図１９】
2012112232.tif 000029